(57)【要約】【課題】メニュー画面の如き表示の操作が簡単にできるようにする。【解決手段】表示部２０の表示面への所定強度以上の光の入射座標を検出する光入射検出部と、リモートコントロール信号の受信部１１とを備えた表示装置１０に適用する。光入射検出部で検出した入射座標位置に表示された処理を選択し、受信部で受信したリモートコントロール信号に応じて、その選択された処理の実行を確定させる。リモートコントロール装置３０として、レーザ光の出力部と赤外線信号などのリモートコントロール信号の出力部とを備えることで、このリモートコントロール装置３０の操作で、メニュー画面２１などの操作を可能とする。【選択図】図１
2008022058.tif 000002
【特許請求の範囲】
【請求項１】
表示部と、
前記表示部の表示面への所定強度以上の光の入射座標を検出する光入射検出部と、
リモートコントロール信号の受信部と、
前記表示部に表示させる画像を生成させる表示処理部と、
前記光入射検出部で検出した入射座標位置に表示された処理を選択し、前記受信部で受信したリモートコントロール信号に応じて、その選択された処理の実行を確定させる制御部とを備えた
表示装置。
【請求項２】
請求項１記載の表示装置において、
前記表示処理部で生成させた画像は、操作項目を選択するメニュー画面を表示させる画像であり、前記光入射検出部で検出した入射座標位置による選択と、前記受信部で受信したリモートコントロール信号により、メニュー画面の操作の操作選択と確定とが行えるようにしたことを特徴とする
表示装置。
【請求項３】
請求項１記載の表示装置において、
前記リモートコントロール信号の受信部は、赤外線信号の受信部であることを特徴とする
表示装置。
【請求項４】
表示部と、
前記表示部の表示面への所定強度以上の光の入射座標を検出する光入射検出部と、
リモートコントロール信号の受信部と、
前記表示部に表示させる画像を生成させ、画像中の選択位置を示すポインタを画像に重畳させる表示処理部と、
前記光入射検出部で検出した入射座標位置に応じて、前記ポインタの表示位置を変更し、前記受信部で受信したリモートコントロール信号に応じて、前記ポインタの表示位置に表示された画像で示された処理を実行させる制御部とを備えた
表示装置。
【請求項５】
表示部を備えた電子機器の操作方法において、
前記表示部の表示面への所定強度以上の光の入射座標を検出し、
検出した入射座標位置に表示された処理を選択し、前記光の入射と同時又は入射後に受信したリモートコントロール信号に応じて、その選択された処理の実行を確定させることを特徴とする
操作方法。
【請求項６】
表示装置と、前記表示装置で表示させる映像信号を生成させる映像機器とで構成させる映像表示システムにおいて、
前記表示装置として、
表示部と、
前記表示部の表示面への所定強度以上の光の入射座標を検出する光入射検出部と、
前記表示部に表示させる画像を、前記映像機器から供給された画像信号に基づいて生成させる表示処理部とを備え、
前記映像機器として、
前記表示装置に供給する映像信号を生成させる画像信号生成部と、
リモートトンとロール信号の受信部と、
前記表示装置の光入射検出部で検出した入射座標位置に表示された処理を選択し、前記受信部で受信したリモートコントロール信号に応じて、その選択された映像機器内の処理の実行を確定させる制御部とを備えた
映像表示システム。
【発明の詳細な説明】
【技術分野】
【０００１】
本発明は、表示装置、及びその表示装置の操作方法、並びに表示装置を含む映像表示に関する。
【背景技術】
【０００２】
従来、テレビジョン受像機などの表示装置においては、各種操作を行う際に、画面上にメニュー画面を表示させて、そのメニュー画面上の項目を、リモートコントロール装置のキー操作で選択して、機能の設定・調整や動作モードの選択を行うことがある。図１１は、従来のメニュー画面を使用した操作例を示した図である。図１１に示すように、表示装置１と、その表示装置１用のリモートコントロール装置７とを用意し、所定の操作で、表示装置１の表示部２に、メニュー画面を表示させる。表示装置１は、リモートコントロール信号の受光部３を備える。リモートコントロール装置７としては、操作用のキーとして、上下左右の４方向を指示する４つの方向キー９と、確定操作用の確定キー８とを備え、これらのキー操作により、赤外線信号（リモートコントロール信号）を送信する。送信された赤外線信号は、表示装置１のリモートコントロール信号の受光部３で受信（受光）される。
【０００３】
そして、ユーザは、表示されたメニュー画面を見ながら、４つの方向キー９の操作で、選択される項目を選ぶ。選ばれた項目は、例えば表示色を変化させる。そして、その選択された項目が、ユーザが所望の項目になったことを表示から確認すると、ユーザは確定キー８を操作して、その表示項目を確定させる。
【０００４】
特許文献１には、レーザ光を使用してメニュー画面の操作を行う例について開示がある。
【特許文献１】特開平７−２６１９１９号公報
【発明の開示】
【発明が解決しようとする課題】
【０００５】
図１１のように、比較的多くのキー操作によりメニュー選択を行うのは、操作が煩雑であり、時間もかかる問題があった。即ち、所望の項目を選ぶまでに何回もキーを押す必要があり、手間がかかっていた。
【０００６】
また、特許文献１には、レーザポインタと称されるレーザ光の発光手段を使用して、メニュー操作を行うことが開示されているが、レーザポインタだけを使用した操作では、やはり簡単な操作とは言えなかった。
【０００７】
本発明はかかる点に鑑みてなされたものであり、メニュー画面の如き表示の操作が簡単にできるようにすることを目的とする。
【課題を解決するための手段】
【０００８】
本発明は、表示部の表示面への所定強度以上の光の入射座標を検出する光入射検出部と、リモートコントロール信号の受信部とを備えた表示装置に適用する。そして、光入射検出部で検出した入射座標位置に表示された処理を選択し、受信部で受信したリモートコントロール信号に応じて、その選択された処理の実行を確定させる構成とした。
【０００９】
また、リモートコントロール信号の受信部は、別の映像機器が備えて、その映像機器での処理を実行させる構成としてもよい。
【００１０】
このようにしたことで、リモートコントロール装置として、レーザ光の出力部と赤外線信号などのリモートコントロール信号の出力部とを備えることで、このリモートコントロール装置の操作で、メニュー画面などの操作が可能になる。
【発明の効果】
【００１１】
本発明によると、リモートコントロール装置として、レーザ光の出力部と赤外線信号などのリモートコントロール信号の出力部とを備えることで、このリモートコントロール装置の操作で、メニュー画面の操作を簡単に行うことが可能になる。
【００１２】
また、画面上に表示されたカーソルの位置の選択と、その選択位置での確定操作の、ポインティングデバイスとしての操作も可能になる。
【００１３】
さらに、表示装置に接続された別体の映像機器の操作も可能になる。
【発明を実施するための最良の形態】
【００１４】
以下、本発明の第１の実施の形態を、図１〜図９を参照して説明する。
【００１５】
図１は、本実施の形態の例のシステム構成例を示した図である。本例においては、テレビジョン受像機としての表示装置１０に適用した例としてある。表示装置１０は、表示パネル２０を備え、映像の表示を行うことができる。図１の例では、メニュー画面２１を表示させた例としてある。また、表示装置１０は、リモートコントロール信号の受信部である赤外線受光部１１を、表示パネル２０の脇に備える。さらに本例の表示パネル２０は、表示面への光の入力についても検出可能な構成としてある。
【００１６】
図２を参照して、表示装置１０の内部構成について説明する。表示装置１０としては、映像入力部１６を備えて、映像入力部１６に入力した映像信号を、表示処理部１７に送り、表示処理部１７で、表示パネル２０で映像を表示させるための駆動処理を行う。映像入力部１６は、チューナを備えて、放送信号を受信する構成としてもよい。表示の制御は、表示制御部１５の制御で行われ、メニュー画面などの補助的な表示の制御についても、表示制御部１５の制御で行われる。
【００１７】
赤外線受光部１１で受光した赤外線信号は、リモートコントロール信号コード変換部１２で、受光した赤外線信号に対応した制御コードに変換され、その制御コードのデータが、実行内容制御部１４に送られる。実行内容制御部１４では、供給される制御コードに対応した表示装置の動作制御を行う。
【００１８】
また本例の表示装置１０は、表示パネル２０の表示面への外部からの光の入力を検出することが可能な構成としてある。その検出構成例については後述する。この光の入力が一定強度以上である場合に、レーザ光の入力があると、レーザ光検出部２３が検出する。レーザ光検出部２３が該当する検出を行うと、座標検出部１３で、表示面のどの座標位置に入射したかが判断され、その判断した座標位置のデータを、実行内容制御部１４に送る。
【００１９】
図３は、表示パネル２０で表示と光の入力検出を行う原理の一例を示したものである。この例では、表示パネル２０として、ＥＬ（electro-luminescence）表示パネルを使用した例としてある。ＥＬ表示パネルは、発光素子（ＥＬ素子）に信号の印加で発光するが、ＥＬ素子自身は受光素子としての機能も備え、発光期間と受光期間とを時分割で設定することで、表示だけでなく、光の入力検出も可能となる。
【００２０】
図３（ａ）は、ＥＬ表示パネルの１画素のＥＬ素子の駆動構成を示した図である。表示時（発光時）には、図３（ａ）に示すように、ソース線９１とゲート線９２の交点に配置したスイッチング素子（ＴＦＴトランジスタ）９３のゲート９３Ｇにオン信号を供給して、ソース９３Ｓからドレイン９３Ｄに駆動信号を流し、ＥＬ素子９４を介して対向電極９５に、画素の駆動信号を印加する。
【００２１】
そして、図３（ｂ）に示すように、光の入射検出時には、ＥＬ素子９４を受光素子として使用して、ＥＬ素子９４に受光により蓄積した信号を、ドレイン９３Ｄからソース９３Ｓに読出し、ソース線９１から外部に取出す。
【００２２】
この図３（ａ）に示す表示処理と、図３（ｂ）に示す受光処理とを、例えば１表示フレーム内で時分割で行うことで、表示と入射光検出とを同時に行うことができる。なお、図３の例は、表示パネルとしてＥＬパネルを使用した例としたが、例えば液晶表示パネルの場合にも、表示画素を構成する素子とは別に受光素子を配置して、時分割で表示素子による表示と受光素子により受光検出とを行うことで、同様な入射光検出可能な表示装置として構成させることが可能である。
【００２３】
図４は、本例のリモートコントロール装置３０の形状の例を示した図である。リモートコントロール装置３０は、メニュー画面操作用のキー３１を備え、そのキー３１の操作により発光される信号である、レーザ光発光部３３と赤外線発光部３４とを備える。なお、操作キーとしては、キー３１以外の各種キーを配置してもよい。例えばメニュー画面の表示をオン・オフさせるキーを用意してもよい。
【００２４】
図５は、このリモートコントロール装置３０の内部構成例を示した図である。キー３１が操作される（押される）と、制御部３２は、押され続けている間、レーザ光発光部３３からレーザ光を出力すると共に、キー３１が押された状態でなくなったタイミングで、赤外線発光部３４から、確定操作用のコードのリモートコントロール信号（赤外線信号）を出力する。また、図示しないその他のキーの操作で、それぞれのキーに対応したコードのリモートコントロール信号を、赤外線発光部３４から出力する。
【００２５】
図６は、リモートコントロール装置３０のキー３１が操作された場合の信号の出力状態の例を示したフローチャートである。まず、制御部３２は、キー３１が押されたか否か判断し（ステップＳ１１）、押されたと判断した場合に、レーザ光発光部３３からレーザ光の出力を開始させる（ステップＳ１２）。そして、押された状態が継続する場合に、そのレーザ光の出力を継続して行う。そして、制御部３２は、押された状態でなくなったか否か判断する（ステップＳ１３）。ここで、押された状態でなくなったと判断した場合には、赤外線発光部３４から、確定操作用のコードのリモートコントロール信号（赤外線信号）を出力する（ステップＳ１４）。
【００２６】
次に、このようにしてリモートコントロール装置３０から送信される信号を受信（受光）した表示装置１０での動作例を、図７のフローチャートを参照して説明する。まず、実行内容制御部１４は、現在の状態がメニュー画面の表示モードであるか否か判断する（ステップＳ２１）。ここで、メニュー画面の表示モードであると判断した場合には、座標検出部１３の出力からレーザ光の受光があるか否か判断し（ステップＳ２２）、レーザ光の受光がある場合には、レーザ光を受光した座標位置を判断する（ステップＳ２３）。その後、確定コードのリモートコントロール信号の受光があるか否か判断し（ステップＳ２４）、該当するコードの受光がある場合には、ステップＳ２３で判断した座標位置に表示させたメニュー画面中の表示項目を判断し、その表示項目を実行させる（ステップＳ２５）。
【００２７】
その後、メニュー表示を終了させる操作があるか否か判断し（ステップＳ２６）、該当する操作がある場合には終了させる。メニュー表示を終了させる操作がない場合には、ステップＳ２２に戻り、レーザ光の次の受光があるか否かの判断を行う。また、ステップＳ２２でレーザ光の受光がないと判断した場合と、ステップＳ２４で、確定コードの受光がないと判断した場合には、ステップＳ２６の判断に移る。
【００２８】
このようにして、レーザ光の受光検出と、リモートコントロール信号の受光（受信）検出に基づいて、メニュー画面による操作を行うことで、非常に簡単にメニュー画面の操作が可能になる。即ち、ユーザは、リモートコントロール装置３０のキー３１を押して、レーザ光を出射させて、そのレーザ光の画面上の照射位置２２が、例えば図１に示すようにメニュー画面２１上の選択したい項目となるようにする。この状態で、キー３１を押すのを止めて、レーザ光の出射を停止させると同時に、確定用のリモートコントロール信号が出力されて、その信号の受光（受信）で、該当する表示項目が選択されるメニュー操作が行われることになる。従って、１つのキーを押して、照射させる光の位置を合わせるだけの非常に簡単な操作でよく、メニュー画面の操作性を向上させることができる。
【００２９】
なお、図４、図５の例では、１つのキー３１の操作だけで、レーザ光のオン・オフと確定用のリモートコントロール信号の出力とを行うようにしたが、例えば、キー３１の操作では、レーザ光のオン・オフだけを行い、確定用のリモートコントロール信号の出力は別のキー操作で行うようにしてもよい。
【００３０】
また、ここまで説明した例では、メニュー画面の操作に適用したが、その他の表示に関係した操作に適用してもよい。例えば、画面中にカーソルを表示させる場合の、そのカーソルの表示位置の指示と、そのカーソルで示された位置の確定操作とを同様の処理で行うようにしてもよい。
【００３１】
図８は、この場合の例を示した図である。表示装置１０′の表示パネルには、カーソル表示２９を行う。このカーソル表示２９の表示位置を、レーザ光照射位置２２で行う構成とする。同時に、確定操作を、リモートコントロール信号で行う。リモートコントロール装置３０については、図１の例と同じでよい。
【００３２】
図９は、その場合の動作制御例を示したフローチャートである。まず、実行内容制御部１４は、座標検出部１３の出力からレーザ光の受光があるか否か判断し（ステップＳ３１）、レーザ光の受光がある場合には、レーザ光を受光した座標位置を判断し（ステップＳ３２）、その判断した位置に、カーソル表示の位置を移動させる（ステップＳ３３）。その後、確定コードのリモートコントロール信号の受光があるか否か判断し（ステップＳ３４）、該当するコードの受光がある場合には、カーソルの表示位置での表示ボタンのクリックに相当する処理を実行し（ステップＳ３５）、ステップＳ３２に戻る。ステップＳ３４でリモートコントロール信号の受光がないと判断した場合にも、ステップＳ３２に戻る。
【００３３】
このようにして、レーザ光の受光検出と、リモートコントロール信号の受光（受信）検出に基づいて、カーソル表示の移動とクリック操作を可能にしたことで、カーソル表示による操作の操作性を向上させることができる。
【００３４】
次に、本発明の第２の実施の形態を、図１０を参照して説明する。この例の場合には、表示装置１０に、別体の映像機器であるビデオ記録再生装置４０を、ケーブル４２で接続した例である。
【００３５】
ビデオ記録再生装置４０の操作を行う際には、ビデオ記録再生装置４０内で生成させたメニュー画面の映像信号を、ケーブル４３を介して表示装置１０に送り、表示装置１０で表示させる。本例の表示装置１０は、レーザ光を受光した場合に、そのレーザ光照射点２２の座標位置のデータおよび１１で受信した赤外線による確定情報を、ケーブル４２を介してビデオ記録再生装置４０に送る構成としてある。なお、ケーブル４２とケーブル４３は同一のケーブルによって実現してもよい。
【００３６】
そして、ビデオ記録再生装置４０では、メニュー画面の映像信号を出力させている状態で、表示装置１０から座標位置のデータが供給される場合に、その供給される座標位置のデータに基づいて、メニュー画面中の項目を選択し、続いて赤外線信号受光部４１で確定用コードのリモートコントロール信号を受光（受信）した場合に、その項目の選択を確定させる。その他の構成や処理については、上述した第１の実施の形態と同様に構成する。
【００３７】
この図１０に示す構成とすることで、表示装置とは別の映像機器についても、レーザ光とリモートコントロール信号により操作が可能になり、操作性が向上する。
【００３８】
なお、ここまで説明した各実施の形態では、リモートコントロール信号として赤外線信号を使用したが、その他の無線信号（電波信号）で、リモートコントロール信号を伝送する構成としてもよい。
【図面の簡単な説明】
【００３９】
【図１】本発明の第１の実施の形態によるシステム構成例を示す説明図である。
【図２】本発明の第１の実施の形態による表示装置の例を示す構成図である。
【図３】本発明の第１の実施の形態による表示と受光の動作例を示す説明図である。
【図４】本発明の第１の実施の形態によるリモートコントロール装置の例を示す斜視図である。
【図５】本発明の第１の実施の形態によるリモートコントロール装置の例を示す構成図である。
【図６】本発明の第１の実施の形態による信号出力の動作例を示すフローチャートである。
【図７】本発明の第１の実施の形態による受信による動作例を示すフローチャートである。
【図８】本発明の第１の実施の形態の変形例を示す説明図である。
【図９】図８例の処理例を示したフローチャートである。
【図１０】本発明の第２の実施の形態によるシステム構成例を示す説明図である。
【図１１】従来のメニュー画面の操作例を示す説明図である。
【符号の説明】
【００４０】
１０，１０′…表示装置、１１…赤外線受光部、１２…リモートコントロール信号コード変換部、１３…座標検出部、１４…実行内容制御部、１５…表示制御部、１６…映像入力部、１７…表示処理部、２０…表示パネル、２３…レーザ光検出部、３０…リモートコントロール装置、３１…キー、３２…制御部、３３…レーザ光発光部、３４…赤外線発光部、４０…記録再生装置、４１…赤外線受光部
【図１】
2008022058.tif 000003
【図２】
2008022058.tif 000004
【図３】
2008022058.tif 000005
【図４】
2008022058.tif 000006
【図５】
2008022058.tif 000007
【図６】
2008022058.tif 000008
【図７】
2008022058.tif 000009
【図８】
2008022058.tif 000010
【図９】
2008022058.tif 000011
【図１０】
2008022058.tif 000012
【図１１】
2008022058.tif 000013